(57)【特許請求の範囲】
【請求項１】
合成樹脂製の有頂筒状の外筒体(12)と、該外筒体(12)に下端面を略同一高さ位置に揃えた状態で嵌入組付きする有頂筒状の内筒体(2)と、前記外筒体(12)の下端部と内筒体(2)の下端部を、該内筒体(2)が抜け出し不能に組付け固定する嵌合係止部(F)を形成し、前記外筒体(12)に熱溶着による接着が可能な合成樹脂製のリング体(21)を有し、前記外筒体(12)と内筒体(2)を該外筒体(12)に内筒体(2)を嵌入した状態でインサート材としたインサート成形で、前記リング体(21)を前記外筒体(12)の周壁(14)の下端部に熱溶着により一体連設して前記嵌合係止部(F)を形成する構成とし、前記外筒体(12)と内筒体(2)の間、又は内筒体(2)とリング体(21)の間の少なくとも一方の間に相互の回動を不能にする回動係止部(K)を形成する構成としたことを特徴とする二重壁を有する有頂筒状の合成樹脂製成形品。
【請求項２】
外筒体(12)と内筒体(2)、若しくは内筒体(2)とリング体(21)の組み合わせにおいて、少なくとも所定高さ範囲で、相互に周接する双方の側周面の平断面形状を非円形状とし回動係止部(K)を形成した請求項１記載の合成樹脂製成形品。
【請求項３】
相互に周接する双方の側周面の平断面形状を多角形とした請求項２記載の合成樹脂製成形品。
【請求項４】
外筒体(12)と内筒体(2)、若しくは内筒体(2)とリング体(21)の組み合わせにおいて、一方に係止凹部を形成し、他方に該係止凹部に嵌合する係止凸部を形成し、該係止凹部と係止凸部で回動係止部(K)を形成した請求項１記載の合成樹脂製成形品。
【請求項５】
リング体(21)のインサート成形を利用して、内筒体(2)の下端部と前記リング体(21)の間にアンダーカット状に回動係止部(K)を形成した請求項１記載の合成樹脂製成形品。
【請求項６】
内筒体(2)とリング体(21)の間に形成される回動係止部(K)を内筒体(2)の内側周面側に配置した請求項１、２、３、４または５のいずれか一項に
記載の合成樹脂製成形品。
【請求項７】
内筒体(2)の下端部に外鍔状に外筒体(12)の下端面の内周側部分が当接する幅のフランジ片(5)を周設し、該フランジ片(5)と、外筒体(12)若しくはリング体(21)の間に回動係止部(K)を形成する構成とした請求項１、２、３、４または５のいずれか一項に記載の合成樹脂製成形品。
【請求項８】
内筒体(2)の下端部に外鍔状に外筒体(12)の下端面の内周側部分が当接する幅のフランジ片(5)を周設し、該フランジ片(5)に上下方向に貫通する貫通孔(5h)を形成し、該貫通孔(5h)を利用してリング体(21)のインサート成形により、前記フランジ片(5)とリング体(21)の間にアンダーカット状に回動係止部(K)を形成した請求項１記載の合成樹脂製成形品。
【請求項９】
内筒体(2)の下端部に外鍔状に、外筒体(12)の下端面の内周側部分が当接する幅のフランジ片(5)を周設し、該フランジ片(5)の外周にリング体(21)の周壁(22)を外嵌し、該周壁(22)の上端面が外筒体(12)の下端面に熱溶着する構成とした請求項１〜８のいずれか一項に記載の合成樹脂製成形品。
【請求項１０】
リング体(21)はフランジ片(5)に外嵌する外周壁(22a)と該外周壁(22a)の下端から内鍔状に周設され、前記フランジ片(5)の下面に当接する内鍔周片(22b)から形成される断面がＬ字状の周壁(22)を有する構成とし、前記外周壁(22a)の上端面が外筒体(12)の下端面に熱溶着する構成とした請求項９記載の合成樹脂製成形品。
【請求項１１】
外筒体(12)が透明性を有する構成とした請求項１〜１０のいずれか一項に記載の合成樹脂製成形品。
【請求項１２】
内筒体(2)が周壁(4)の下端部で外筒体(12)の周壁(14)の下端部に内接し、該下端部部分の上方から頂壁(3、13)にかけての部分では内筒体(2)と外筒体(12)の間に間隙を形成するようにした請求項１〜１１のいずれか一項に記載の合成樹脂製成形品。
【請求項１３】
成形品をキャップ体とした請求項１〜１２のいずれか一項に記載の合成樹脂製成形品。
【発明の詳細な説明】
【技術分野】
【０００１】
本発明は、二重壁を有する有頂筒状の合成樹脂製成形品に関するものである。
【背景技術】
【０００２】
壜体容器の口筒部に使用するキャップ体を二重壁状に形成し、加飾の目的で外側壁を透明にするものがあるが、外側壁と内側壁の間に間隙を設けることにより、より一層その加飾効果を現出させることができる。
また、二重壁を利用して外側壁をエラストマー製とすれば、硬質樹脂製の内側壁部分で螺合機能を分担できるので、キャップ体としての基本的な機能を損なうことなく柔らかい感触を付与することもできる。
【０００３】
キャップ体のような有頂筒状の成形品をこのように二重壁状にする手段としては、有頂筒状の外筒体と内筒体を成形し、２つの部材を嵌合組付けする方法、あるいは、たとえば特許文献１に記載があるような所謂２色成形により外筒体と内筒体を順番に射出成形する方法等がある。
【特許文献１】特開２０００−２００５２２号公報
【発明の開示】
【発明が解決しようとする課題】
【０００４】
上記した有頂筒状の外筒体と内筒体を成形し、２つの部材を別途嵌合組付けする方法では、外筒体と内筒体を嵌合固定するための嵌合係止部を形成する必要があり、その嵌合係止部が外観を損ねてしまうという問題がある。
また、２色成形の場合には外筒体と内筒体の間に隙間を形成することが難しい。
【０００５】
本発明は、外観上の美観を損ねることなく隙間を形成した状態で外筒体に内筒体を組付け固定することを課題とし、二重壁により優れた加飾性、あるいは機能性を有する有頂筒状の合成樹脂製成形品を提供することを目的とする。
【課題を解決するための手段】
【０００６】
上記課題を解決するための本発明の二重壁を有する有頂筒状の合成樹脂製成形品に係る主たる構成は、
合成樹脂製の有頂筒状の外筒体と、この外筒体に下端面を略同一高さ位置に揃えた状態で嵌入組付きする有頂筒状の内筒体と、外筒体の下端部と内筒体の下端部を、内筒体が抜け出し不能に組付け固定する嵌合係止部を形成し、外筒体に熱溶着による接着が可能な合成樹脂製のリング体を有し、
外筒体と内筒体を外筒体に内筒体を嵌入した状態でインサート材としたインサート成形で、リング体を外筒体の周壁の下端部に熱溶着により一体連設して嵌合係止部を形成する構成とし、
外筒体と内筒体の間、又は内筒体とリング体の間の少なくとも一方の間に相互の回動を不能にする回動係止部を形成する構成とする、
云うものである。
【０００７】
上記構成により、内筒体が嵌入した状態で、外筒体と内筒体をインサート材として、外筒体に熱溶着による接着が可能な合成樹脂製のリング体をインサート成形することにより、このリング体を外筒体の周壁の下端部に熱溶着して、容易に一体連設することができる。
【０００８】
また、リング体はインサート成形により形成されるものであり、金型内で内筒体の下端部に沿って溶融樹脂を流動させることによりリング体を内筒体の下端部に容易にアンダーカット状に組付き固定することができ、
上記のようにリング体と外筒体の周壁の下端部を熱溶着により一体連設できることと相俟って、嵌合係止部を、容易に、かつ外観を損なうことなく形成することができる。
【０００９】
また、外筒体とリング体は別部材ではあるものの熱溶着による接着が可能な合成樹脂製であり、同一、あるいは同種の合成樹脂製として熱溶着により一体連設することにより一つの部材としてすっきりとした外観を付与することができる。
【００１０】
また、外筒体と内筒体を外筒体と内筒体の間に間隙を形成した状態でインサート材として、リング体をインサート成形することにより、間隙が形成された二重壁を有する有頂筒状の合成樹脂製成形品を容易に成形することができる。
【００１１】
そして、外筒体と内筒体の間、又は内筒体とリング体の間の少なくとも一方の間に相互の回動を不能にする回動係止部を形成する構成とすることにより、外筒体と内筒体の空回りがないので、たとえば壜容器の口筒部に螺合組付けして使用するキャップ体のように、外周面に周方向の力が作用する用途にも安心して使用することができる。
【００１２】
本発明の他の構成は、上記主たる構成に加えて、外筒体と内筒体、若しくは内筒体とリング体の組み合わせにおいて、少なくとも所定高さ範囲で、相互に周接する双方の側周面の平断面形状を非円形状とし回動係止部を形成する、と云うものである。
【００１３】
上記構成は、回動係止部に係るものであり、相互に周接する双方の側周面の平断面形状を非円形状とすることにより、特に係止凸状や、係止凹部を付設することなく、外筒体と内筒体を回動不能とすることができ、外観を損なうことなく回動係止部を形成することが可能となる。
ここで、リング体は外筒体に一体設しているので内筒体とリング体の間に回動係止部を形成すれば、外筒体と内筒体は回動不能となる。
【００１４】
なお、非円形状の形状としては、多角形、楕円形、長円、星型等様々なバリエーションの形状とすることができる。
また、たとえば外筒体と内筒体の平断面形状を多角形として回動係止部を形成する場合、外筒体と内筒体の全高さ範囲で平断面形状を多角形とする必要はなく、成形性や外観を考慮してその高さ範囲を調整することができる。
また、外筒体の内側周面と内筒体の外側周面を多角形とすれば良く、外筒体の外側周面と内筒体の内側周面の平断面形状は円形とすることもできる。
さらに、回動係止部が形成される所定の高さ範囲で、外筒体の内側周面と内筒体の外側周面が全周に亘って周接している必要もない。
【００１５】
本発明のさらに他の構成は、上記構成に加えて、相互に周接する双方の側周面の平断面形状を多角形とする、と云うものである。
【００１６】
上記構成により、相互に周接する双方の側周面の平断面形状を多角形とすることにより、特に、透明な外筒体を使用する場合にはこの多角形の形状により、透明な外筒体を透して様々な視覚効果を現出させることができる。
【００１７】
本発明のさらに他の構成は、主たる構成に加えて、外筒体と内筒体、若しくは内筒体とリング体の組み合わせにおいて、一方に係止凹部を形成し、他方に該係止凹部に嵌合する係止凸部を形成し、該係止凹部と係止凸部で回動係止部を形成する、と云うものである。
【００１８】
上記構成も回動係止部に係るものである。
外観に係る審美性を考慮して回動係止部を形成する係止凹部と係止凸部は、成形品の下端部等の目立たない位置に配設することが好ましい。
また、回動係止部を外筒体と内筒体の間に形成する場合には、係止凹部を縦溝状に、係止凸部を縦突条状にして、外筒体に内筒体をスムーズに嵌入できるようにする。
【００１９】
本発明のさらに他の構成は、主たる構成に加えて、リング体のインサート成形を利用して、内筒体の下端部とリング体の間にアンダーカット状に回動係止部を形成すると云うものである。
【００２０】
上記構成も回動係止部に係るものであり、内筒体の下端部とリング体の間に回動係止部を形成する場合には、リング体をインサート成形することを利用して、外観を損なうことなく内筒体の下端部にアンダーカット状に回動係止部を容易に形成することができる。
【００２１】
本発明のさらに他の構成は、内筒体とリング体の間に形成される回動係止部を内筒体の内側周面側に配置すると云うものである。
【００２２】
上記構成も回動係止部に係るものであり、回動係止部を内筒体の内側周面側に配置することにより、外観を損なうことなく回動係止部を形成することができる。
なお、リング体は外筒体に内筒体を嵌入した状態でインサート材としてインサート成形するものであり、リング体の一部を内筒体の内側周面側に容易に配置することが可能である。
【００２３】
本発明のさらに他の構成は、内筒体の下端部に外鍔状に外筒体の下端面の内周側部分が当接する幅のフランジ片を周設し、このフランジ片と、外筒体若しくはリング体の間に回動係止部を形成する、と云うものである。
【００２４】
上記構成も回動係止部に係るものであり、外筒体の下端面に当接するフランジ片を利用して回動係止部を形成するので、回動係止部を目立たない位置に配設することができ、外観を損なうことなく回動係止部を形成することができる。
【００２５】
本発明のさらに他の構成は主たる構成に加えて、内筒体の下端部に外鍔状に外筒体の下端面の内周側部分が当接する幅のフランジ片を周設し、フランジ片に上下方向に貫通する貫通孔を形成し、この貫通孔を利用してリング体のインサート成形により、フランジ片とリング体の間にアンダーカット状に回動係止部を形成する、と云うものである。
【００２６】
上記構成も回動係止部に係るものであり、フランジ片に上下方向に貫通形成した貫通孔を利用してリング体のインサート成形により、フランジ片とリング体の間にアンダーカット状に回動係止部を、容易にかつ目立つことなく形成することができる。
【００２７】
本発明のさらに他の構成は、内筒体の下端部に外鍔状に、外筒体の下端面の内周側部分が当接する幅のフランジ片を周設し、このフランジ片の外周にリング体の周壁を外嵌し、この周壁の上端面が外筒体の下端面に熱溶着する構成とする、と云うものである。
【００２８】
上記構成は、嵌合係止部を形成するための具体的な構成要件に係るものであり、内筒体の下端部に周設したフランジ片により強固な嵌合係止部を形成することができる。
また、フランジ片を外筒体の下端面の内周側部分が当接する幅とし、このフランジ片の外周にリング体の周壁を外嵌する構成とすることにより、フランジ片を外側に露出させることなく、外筒体の外周面とリング体の外周面をスムーズに連設して係止嵌合部を目立たないようにすることができ、美観を損なうことがない。
【００２９】
本発明のさらに他の構成は、上記構成に加えて、
リング体は、フランジ片に外嵌する外周壁とこの外周壁の下端から内鍔状に周接され、フランジ片の下面に当接する内鍔周片から形成される断面がＬ字状の周壁を有し、この外周壁の上端面が外筒体の下端面に熱溶着する構成とする、と云うものである。
【００３０】
上記構成は、フランジ片を利用する構成において、リング体の構造をさらに特定するものであり、リング体を断面がＬ字状の周壁を有する構成とすることにより、フランジ片を上方と側方と下方の３方から挟持して、より強固に嵌合係止部を形成することができる。
【００３１】
本発明のさらに他の構成は、外筒体が透明性を有すると云うものであり、
この構成により、透明性を有する外筒体を通して内筒体が見え、立体的な加飾効果を現出させることができる。
【００３２】
本発明のさらに他の構成は、内筒体が周壁の下端部で外筒体の周壁の下端部に内接し、この下端部部分の上方から頂壁にかけての部分では内筒体と外筒体の間に間隙を形成する、と云うものであり、
この構成により、外筒体が透明性を有する場合には、さらに効果的に立体的な加飾効果を現出させることができる。
【００３３】
本発明のさらに他の構成は、成形品をキャップ体とするものであり、外筒体を透明性を有するものとしてキャップ体としての加飾効果を現出させて、壜容器と組み合わせて高級感のある商品を提供することができる。
また、回動係止部により外筒体と内筒体の空回りがないのでキャップ体として安心して使用することができる。
【００３４】
また、たとえば内筒体でキャップとしての基本的な機能を担うようにし、外筒体にエラストマー材料を使用して外筒体と内筒体との間隙も利用して従来にない手触り感を付与すること等により、製品を機能化、差別化する効果を期待することもできる。
【発明の効果】
【００３５】
二重壁を有する有頂筒状の合成樹脂製成形品に係る、本発明の主たる構成は上記したようであり、以下に示す効果を奏する。
基本的な構成を有するものにあっては、
外筒体と内筒体をインサート材として、外筒体に熱溶着による接着が可能な合成樹脂製のリング体をインサート成形した構成であり、外筒体と内筒体を組付き固定する嵌合係止部を容易に形成することができると共に、すっきりした外観を付与することができる。
【００３６】
また、外筒体と内筒体の空回りがないので、たとえば壜容器の口筒部に螺合組付けして使用するキャップ体のように、外周面に周方向の力が作用する用途にも安心して使用することができる。
【００３７】
相互に周接する双方の側周面の平断面形状を非円形状として回動係止部を形成するものにあっては、特に係止凹部や、係止凸部を付設することなく外筒体と内筒体を回動不能とすることができ、外筒体が透明の場合にも、外観を損なうことなく容易に回動係止部を形成することができる。
【００３８】
さらに、相互に周接する双方の側周面の平断面形状を多角形とするものにあっては、多角形の形状により様々な視覚効果を現出させることができる。
【００３９】
係止凹部と係止凸部により回動係止部を形成するものにあっては、この回動係止部を成形品の下端部等の目立たない位置に配設することにより、外観損なうことなく、空回りのない二重壁を有する成形品とすることができる。
【００４０】
リング体のインサート成形を利用して、内筒体の下端部と前記リング体の間にアンダーカット状に回動係止部を形成するものにあっては、回動係止部を容易に形成することができる。
【００４１】
内筒体とリング体の間に形成される回動係止部を内筒体の内周面側に配置するものにあっては、インサート成形されるリング体の一部を内筒体の内周面側に容易に配置することが可能であり、回動係止部を内筒体の内側周面側に配置することにより、外観を損なうことなく回動係止部を形成することができる。
【００４２】
内筒体の下端部に周設したフランジ片を利用して回動係止部を形成するものにあっては、この回動係止部を目立たない位置に配設することができ、外観を損なうことなく回動係止部を形成することができる。
【００４３】
内筒体の下端部に周設したフランジ片に上下方向に貫通する貫通孔を形成し、この貫通孔を利用してリング体のインサート成形により、フランジ片とリング体の間にアンダーカット状に回動係止部を形成するものにあっては、この回動係止部を外部から見えない位置に配設することができ、外観を損なうことなく回動係止部を形成することができる。
【００４４】
嵌合係止部に関連して、内筒体の下端部にフランジ片を周設するものにあっては、このフランジ片を利用し、外観上目立たないように係止嵌合部を形成することがきる。
【００４５】
さらに、リング体の断面がＬ字状の周壁を有するものにあっては、フランジ片を上方と側方と下方の３方から挟持して、さらにしっかりとした嵌合係止部を形成することができる。
【００４６】
外筒体が透明性を有するとするものにあっては、透明性を有する外筒体を通して内筒体が見え、立体的な加飾効果を現出させることができる。
【００４７】
内筒体と外筒体の間に間隙を形成するものにあっては、外筒体が透明性を有する場合には、立体的な加飾効果をさらに効果的に現出させることができる。
【００４８】
成形品をキャップ体とするものにあっては、外筒体を透明性を有するものとして、キャップ体としての加飾効果を現出させて、壜容器と組み合わせて高級感のある商品を提供することができる。また、外筒体にエラストマー材料を使用して従来にない手触り感を付与して、製品を機能化したり差別化することもできる。
【発明を実施するための最良の形態】
【００４９】
以下本発明の実施の形態を実施例に沿って図面を参照しながら説明する。
図１〜図５は本発明の二重壁を有する有頂筒状の合成樹脂製成形品の第１実施例であるキャップ体１を示すものである。
図１はこのキャップ体１の縦断正面図、図２は図１中のＡ−Ａ線に沿って示す平断面図、図３は図１中で円で囲った嵌合係止部Ｆ近傍の要部拡大縦断面図、図４はキャップ体１を構成する内筒体２と外筒体３を嵌合組付けした嵌合体１０の縦断正面図、また図５はキャップ体１を構成するリング体２１の縦断正面図と平面図である。
【００５０】
このキャップ体１は有頂筒状の内筒体２と、同じく有頂筒状の外筒体１２と、円形リング状のリング体２１の３つの部材から成る。
内筒体２の周壁４の外側周面の平断面形状は正１２角形、内側周面の平断面形状は円形であり、また、外筒体１２の周壁１４の外側周面の平断面形状は円形、内側周面の平断面形状は正１２角形である。（図２参照）
また、内筒体２は乳白色のポリプロピレン（ＰＰ）樹脂製であり、外筒体１２とリング体２１はＡＳ樹脂製で透明である。
【００５１】
内筒体２の周壁４の下端には外鍔状にフランジ片５が、外筒体１２の周壁１４の下端面の内周側部分に当接する幅に周接されている。このフランジ片５の外側周面の平断面形状も正１２角形としている。
また、周壁４の内側に同軸心状に内周面に螺条を形成した螺合筒７が垂下設されており、この螺合筒７により壜容器の口筒部に螺合組付けされる。
【００５２】
リング体２１は、上記フランジ片５に外嵌する外周壁２２ａと、この外周壁２２ａの下端から内鍔状に周接され、フランジ片５の下端面に当接する内鍔周片２２ｂとから形成される、断面がＬ字状の周壁２２を有する。
ここで、外周壁２２ａの内側周面の平断面形状は上記フランジ片５の外側周面の平断面形状に沿って正１２角形になっている。
【００５３】
上記のような内筒体２と外筒体１２とリング体２１の３つの部材の嵌合状態で、内筒体２の周壁４の外側周面の下端部が、外筒体１２の周壁１４の内側周面の下端部に内接しこれで回動係止部Ｋが形成され（図２参照）、
さらに、フランジ５の正１２角形の外側周面がリング体２１の外周壁２２ａの内側周面に内接し回動係止部Ｋ１（図２参照）が形成され、
これら回動係止部Ｋ、Ｋ１により内筒体２と外筒体１２の相対的な回動がしっかりと阻止され、キャップ体１の壜容器の口筒部への螺合、螺脱操作における外筒体１２の空回りを効果的に阻止する。
なお、回動係止部は必ずしも本実施例のように複数箇所に形成する必要はなく、螺合、螺脱操作における力の作用等を考慮して、少なくとも１箇所に、適宜形成すればよい。
【００５４】
また、回動係止部Ｋの上方から、頂壁３、１３にかけての部分では、内筒体２と外筒体１２の間には間隙Ｇが形成されている。
【００５５】
また、リング体２１の外周壁２２ａの上端面は、同じＡＳ樹脂で形成される外筒体１２の周壁１４の下端面の外周側部分に熱溶着により接着しており（図３中の２重の点線で表した接着部Ｓ参照）、この接着部Ｓにより外筒体１２とリング体２１が強固に一体連設する。
【００５６】
上記のようなリング体２１と、接着部Ｓにより外筒体１２と内筒体２の下端部を周状に、内筒体２を抜け出し不能に組付き固定する嵌合係止部Ｆが形成される。リング体２１の周壁２２の断面をＬ字状とすることにより、フランジ片５を上方と側方と下方の３方から挟持するので、接着部Ｓの作用効果と相俟ってこの嵌合係止部Ｆにより外筒体１２と内筒体２をより強固に組付き固定することができる。
【００５７】
そして、上記のような構成の二重壁を有するキャップ体１にあっては、外筒体１２と内筒体２の間に形成される間隙Ｇの作用も相俟って、透明な外筒体１２の中に乳白色の内筒体１が、浮かんでいるような視覚効果が発揮される。
また、透明な外筒体１２を透して、平断面形状を正１２角形とした周接部分が見え、光の入射と反射方向により光学的な視覚効果を現出させることができる。
もちろん、平断面形状は正１２角形に限定されるものではなく、意匠性の点から様々な非円形の形状を選択することができる。
【００５８】
また、外周壁２２ａの上端面が同一材料で形成される外筒体１２の下端面に熱溶着することにより、外周壁２２ａの外側周面を外筒体１２の周壁１４の外側周面に段差もなくスムーズに一体状に連結することができ、嵌合係止部Ｆを構成するために使用される、第３の部材であるリング体２１は、外から見ると外筒体１２と同一部材として認識され、全体としてすっきりとした外観とすることができる。
【００５９】
次に、図１のキャップ体１の成形方法について言及する。
このキャップ体１は、外筒体１２に内筒体２を嵌入組付けした嵌合体１０(図４参照）をインサート材としたインサート射出成形法により製造することができる。（勿論、外筒体１２と内筒体２の成形工程も含めた生産工程全体の生産性を考慮して予め外筒体１２と内筒体２を嵌合した嵌合体１０を金型にセットするのではなく、金型内で外筒体１２と内筒体２を嵌合する方法も選択することができる。）
その成形手順は概略次の（１）〜（３）に記載するようである。
（１）ＡＳ樹脂製の外筒体１２の中にＰＰ樹脂製の内筒体２を嵌入組付けして嵌合体１０とする。この際、外筒体１２の下端面が内筒体２のフランジ片５に当接し、その嵌入限界が決まる。内筒体２と外筒体１２の下端部では、内筒体２の周壁４の外側周面が外筒体１２の周壁１４の内側周面に内接している。
（２）嵌合体１０をインサート材として射出成形金型にセットする。
（３）射出成形により金型内で溶融状態のＡＳ樹脂を、外筒体１２の周壁１４の下端面と内筒体２のフランジ片５が当接した部分の近傍に周状に流動、充填してリング体２１を形成する。
【００６０】
上記手順の成形方法において、リング体２１の成形では、溶融樹脂が、図５（ａ）に示されるような内鍔周片２２ｂの下面に対応する位置に配設されるピンゲートＰＧから供給され、リング体２１を形成する金型キャビティの全周に流動し、保圧充填されるが、この際溶融樹脂がインサート材として金型内にセットされた嵌合体１０のフランジ５の先端部の形状に沿って流動し、保圧充填されるので、フランジ５の先端部の下面あるいは先端面に密着するように、内鍔周片２２ｂと外周壁２２ａが形成される。
【００６１】
また、溶融樹脂の上記保圧充填により、外周壁２２ａを形成する溶融樹脂が外筒体１２の周壁１４の下端面に押圧状に接触し、この下端面の一部を溶融し、外周壁２２ａの上端面と周壁１４の下端面が熱溶着により接着して接着部Ｓが形成され（図３参照）、上記リング体２１の内鍔周片２２ｂと外周壁２２ａと、この外周壁２２ａと接着した外筒体１２の周壁１４の下端面によりフランジ５の先端部を３方から囲むようにして、嵌合係止部Ｆが形成される。
【００６２】
次に、図６、７、８は本発明の二重壁を有する有頂筒状の合成樹脂製成形品の第２実施例であるキャップ体１を示すものであり、図６はこのキャップ体１の縦断正面図、図２は図１中のＢ−Ｂ線に沿って示す平断面図、図３は図１中で円で囲った嵌合係止部Ｆ近傍の要部拡大縦断面図である。
このキャップ体１の基本的な構成は、図１〜５に示す第１実施例のキャップ体と類似的であり、有頂筒状の内筒体２と、同じく有頂筒状の外筒体１２と、円形リング状のリング体２１の３つの部材から成り、内筒体２は乳白色のポリプロピレン（ＰＰ）樹脂製、外筒体１２とリング体２１はＡＳ樹脂製で透明であり、前述した第１実施例のキャップ体と同様な成形方法で成形されたものである。
【００６３】
本実施例のキャップ体１と、第１実施例のキャップ体との異なる点は、内筒体２と外筒体１２が共に円筒状である点（図７参照）、そしてリング体２１をインサート成形することを利用して、内筒体２の下端部とリング体２１の間に、係止凹部と係止凸部をアンダーカット状に嵌合した回動係止部Ｋを形成している点にある。
【００６４】
内筒体２の下端部に周設したフランジ片５の軸対称の位置に上下方向に貫通する一対の貫通孔５ｈを形成し、リング体２１のインサート成形時に、一部の溶融樹脂がこの貫通孔５ｈを流動して貫通片２４が形成され、この係止凹部としての機能を発揮する貫通孔５ｈと係止凸部としての機能を発揮する貫通片２４により回動係止部Ｋが形成され、内筒体２とリング体２１が回動不能となり、その結果、外筒体１２の空転を阻止することができる。
このように、回動係止部Ｋを構成にすることにより、外観上この回動係止部Ｋを隠すことができる。
【００６５】
次に、図９は回動係止部Ｋの構成に係る他の例を示すものであり、内筒体２の内側周面に形成した係止凹部としての機能を発揮する係止縦溝１５に、リング体２１の内鍔周片２２ｂ内周縁から起立設した係止凸部としての機能を発揮する係止突片２５を嵌入して、内筒体２とリング体２１の間に回動係止部Ｋを構成したものである。
リング体２１のインサート成形時に、係止縦溝１５に溶融樹脂を流動させて、係止突片２５を、係止縦溝１５に嵌入状に容易に形成することができる。そして、回動係止部Ｋをこのように形成することにより、外観上この回動係止部Ｋを隠すことができる。
ここで、このような回動係止部Ｋは１箇所とすることもできるが、その強度等を考慮して軸対称の位置に２箇所、必要に応じてさらに多数形成することもできる。
【００６６】
図１０も回動係止部Ｋの構成に係る他の例を示すものであり、この例は、相互に周設する、内筒体２の外側周面の下端部に係止凹部としての機能を発揮する係止縦溝８を形成し、外筒体１２の内側周面の下端部に係止凸部としての機能を発揮する係止縦突条１６を形成し、この係止縦溝８と係止縦突条１６により、回動係止部Ｋを形成したものである。
また、係止縦突条１６の係止縦溝８への嵌入は、内筒体２を外筒体１２内に嵌入する際に容易に達成される。
【００６７】
次に、インモールド成形によれば、第３の部材であるリング体２１により形成される嵌合係止部Ｆは外筒体１２および内筒体２の下端部の形状と組み合わせて、さまざまな態様で形成することができるが、図１１と図１２に４種の嵌合係止部Ｆのバリエーションを示した。
この中で、図１１（ａ）は図３に示した第１実施例の嵌合係止部Ｆと同じ形状のものである。また、図１１（ｂ）のものは図１１（ａ）のものに比較して、リング体２１の形状をシンプルなリング状として、キャップ体の外側周面を外筒体１２の周壁１４だけで構成し、この外側周面をよりすっきりと現出させているのが特徴である。
【００６８】
図１２（ａ）の例は、フランジ片５とリング体２１の周壁２２にそれぞれ傾斜面５ｓ、２２ｓを形成し、両傾斜面５ｓ、２２ｓを当接するようにして接着部Ｓと協働的に嵌合係止部Ｆを形成したものである。
また、図１２（ｂ）の例は内筒体２にフランジ５を付設することなく、Ｌ字状の断面を有する周壁２２を内筒体２の周壁４の下端面と下端外周面に当接させて、接着部Ｓと協働的に嵌合係止部Ｆを形成したものである。
【００６９】
そして、このような嵌合係止部Ｆのバリエーションにおいて、回動係止部Ｋもまたさまざまなバリーションで形成することができる。
たとえば図１１（ａ）の例では、内筒体２と外筒体１２、若しくは内筒体２とリング体２１が接する周接部Ｐ１、Ｐ２、Ｐ３あるいは水平接部Ｑ１、Ｑ２に回動係止部Ｋを形成することができる。この中で、周接部Ｐ１、Ｐ２、Ｐ３では回動係止部Ｋを係止凹部と係止凸部により形成することもできるし、周設する側周面を多角形等の非円形とすることによっても形成することができる。
【００７０】
以上、本発明の二重壁を有する有頂筒状の合成樹脂製成形品についての実施の形態を実施例に沿って説明したが、本発明の実施の形態は上記実施例に限定されるものではない。
たとえば、上記実施例では成形品をキャップ体１としたが、本発明はキャップ体１の他にも、一般的に二重壁を有する有頂筒状の合成樹脂製成形品に適用することができる。
【００７１】
また、上記実施例では優れた加飾性を付与するためにキャップ体１の外筒体１２を透明性としたが、このような加飾性だけでなく二重壁を利用してさまざまな機能を発揮させることができる。たとえば内筒体２により螺合等のキャップ体１としての基本的な機能を発揮させて、外筒体１２を熱可塑性のエラストマー樹脂で形成し、従来にない手触り感を現出させたりすることもできる。
また、上記実施例ではリング体２１を、外筒体１２と同じ樹脂製としたが、使用目的に応じて、外筒体１２に熱溶着による接着が可能な合成樹脂の中から選択することができる。
【００７２】
また、前述したようにインモールド成形方法によれば、第３の部材であるリング体２１による嵌合係止部Ｆの形成態様は大きな自由度を有し、前述した例の他にも様々な構成とすることができる。
【産業上の利用可能性】
【００７３】
以上説明したように本発明の二重壁を有する有頂筒状の合成樹脂製成形品は、外観上の美観を損ねることなく外筒体に内筒体を強固に組付け固定したものであり、二重壁による外観上の美観を生かして化粧料容器等の分野での幅広い展開が期待される。
【図面の簡単な説明】
【００７４】
【図１】本発明の成形品の第１実施例を示す縦断正面図である。
【図２】図１中のＡ−Ａ線に沿って示す平断面図である。
【図３】図１の成形品の嵌合係止部近傍を拡大した要部拡大縦断面図である。
【図４】図１の成形品の嵌合体を示す縦断正面図である。
【図５】図１の成形品のリング体を示す（ａ）縦断正面図と、（ｂ）平面図である。
【図６】本発明の成形品の第２実施例を示す縦断正面図である。
【図７】図６中のＢ−Ｂ線に沿って示す平断面図である。
【図８】図６の成形品の嵌合係止部近傍を拡大した要部拡大縦断面図である。
【図９】（ａ）は嵌合係止部及び回動係止部の他の例を示す要部拡大縦断面図、（ｂ）は（ａ）中のＣ−Ｃ線に沿って示す平断面図である。
【図１０】回動係止部の他の例を示す要部拡大縦断面図である。
【図１１】嵌合係止部のバリエーション例を示す要部拡大縦断面図である。
【図１２】嵌合係止部のさらに他のバリエーション例を示す要部拡大縦断面図である。
【符号の説明】
【００７５】
１  ；キャップ体
２  ；内筒体
３  ；頂壁
４  ；周壁
５  ；フランジ片
５ｓ；傾斜面
５ｈ；貫通孔
７  ；螺合筒
８  ；係止縦溝
１０；嵌合体
１２；外筒体
１３；頂壁
１４；周壁
１５；係止縦溝
１６；係止縦突条
２１；リング体
２２；周壁
２２ａ；外周壁
２２ｂ；内鍔周片
２２ｓ；傾斜面
２４；貫通片
２５；係止突片
Ｓ  ；接着部
Ｆ  ；嵌合係止部
Ｋ  ；回動係止部
Ｋ１；回動係止部
Ｐ１、Ｐ２、Ｐ３；周接部
Ｑ１、Ｑ２；水平接部
Ｇ  ；間隙
ＰＧ；ピンゲート
【図１】
0005093475.tif 000002
【図２】
0005093475.tif 000003
【図３】
0005093475.tif 000004
【図４】
0005093475.tif 000005
【図５】
0005093475.tif 000006
【図６】
0005093475.tif 000007
【図７】
0005093475.tif 000008
【図８】
0005093475.tif 000009
【図９】
0005093475.tif 000010
【図１０】
0005093475.tif 000011
【図１１】
0005093475.tif 000012
【図１２】
0005093475.tif 000013